(57)【要約】【課題】タイルの目地にフィットすることにより、隙間ができにくく薬剤の効果を十分に発揮させることのできるカビ取りテープを提供する。【解決手段】片面に粘着層を有する長尺状のシートと、前記シートの粘着層側に、薬剤を保持するための含浸部材と、を備え、不織布またはスポンジである前記含浸部材は、前記シートの長手方向に沿って配置された長尺状部材であり、当該含浸部材の長手方向に垂直な断面形状が山型であり、前記含浸部材の少なくとも一部に、カビ取り用の液状薬剤を透過させない液不透過部材が配置されている。【選択図】図１
2014113280.tif 000002
【特許請求の範囲】
【請求項１】
タイルとタイルとの間の目地のカビ取りをするためのカビ取りテープであって、
片面に粘着層を有する長尺状のシートと、
前記シートの粘着層側に、カビ取り用の液状薬剤を保持するための含浸部材と、
を備え、
前記含浸部材は、前記シートの長手方向に沿って配置された長尺状部材であり、当該含浸部材の長手方向に垂直な断面形状が山型であることを特徴とするカビ取りテープ。
【請求項２】
前記含浸部材が、不織布またはスポンジである請求項１に記載のカビ取りテープ。
【請求項３】
前記含浸部材の少なくとも一部に、カビ取り用の液状薬剤を透過させない液不透過部材が配置されていることを特徴とする請求項１または２に記載のカビ取りテープ。
【請求項４】
前記シートは、１以上の貫通穴を有し、
前記貫通穴は、前記シートの前記含浸部材が配置されている部分に位置していることを特徴とする請求項１から３のいずれかに記載のカビ取りテープ。
【請求項５】
前記貫通穴は、直径が0.1mm〜1.2mmであり、
前記貫通穴の面積の合計値は、前記含浸部材と前記シートとの接触部の面積の20%〜80%であることを特徴とする請求項４に記載のカビ取りテープ。
【請求項６】
前記シートは、該シートの長手方向に垂直なミシン目を少なくとも一以上有していることを特徴とする請求項１から５のいずれかに記載のカビ取りテープ。
【請求項７】
前記シートの所定の領域において、配置される前記含浸部材の長手方向に交差して垂直に配置されるタイル目地角部用含浸部材を少なくとも一以上備えることを特徴とする請求項６に記載のカビ取りテープ。
【請求項８】
前記シートにおいて、該シートの長手方向に垂直な断面が９０度の略くの字状に折り曲げられた形状であり、前記含浸部材が該シートの折り曲げ部外側山型形状に突出するように備えられていることを特徴とする請求項１から６のいずれかに記載のカビ取りテープ。
【発明の詳細な説明】
【技術分野】
【０００１】
本発明は、浴室等のタイルの目地のカビ取りを行うためのカビ取りテープに関し、詳しくは、浴室等におけるタイルの目地に用いるカビ取り剤の使用時において、臭いや揮発した液剤の吸引を防ぎながら、長時間の浸透を可能とし、その効果をより発揮させることができるカビ取りテープに関する。
【背景技術】
【０００２】
従来、浴室等のタイルの目地のカビ取りは、目地にカビ取り剤をスプレーすることにより行われている。しかしながら、カビ取り剤は液体であるために、重力により下方にたれてしまい、カビの位置に長時間保持することができなかった。そのため、カビ取り効果を十分に発揮させることが難しかった。
【０００３】
そこで、液体のカビ取り剤をカビの位置に長時間保持させるために、特許文献１に示すようなテープが提案されている。特許文献１に示すテープは、液剤の含浸が可能な柔軟性を有する板状の含浸部材と、前記含浸部材の一方の面を覆うと共に、前記含浸部材の端部よりも外側に延在する延在部を有し、前記延在部の前記含浸部材側の面が粘着面となるテープ部材と、を具備し、前記テープ部材の前記含浸部材を覆っている面には、前記含浸部材に対して液体が通過し得る液体通過部が設けられていることを特徴としている。
【０００４】
これにより、含浸部材に含浸された液剤を、例えばカビ取りや漂白を実施する対象に対して十分に晒すことができ、液剤の能力（例えば、カビ取り能力や漂白能力等）を十分に発揮することが可能となるとしている。
【先行技術文献】
【特許文献】
【０００５】
【特許文献１】特開２０１０−３４２号公報
【発明の概要】
【発明が解決しようとする課題】
【０００６】
しかしながら、特許文献１に記載されたテープは、液体である薬剤を保持するための含浸部材の長手方向に垂直な断面形状が板状であるために、目地の幅と含浸部材の幅が同じ長さでない場合は十分な効果を発揮することができなかった。
【０００７】
即ち、含浸部材をタイルの目地に貼付したとき、含浸部材が目地よりも幅が大きいと、含浸部材は両側のタイルとタイルとの間を橋渡しする形になり、含浸部材は、目地と完全な接触ができず、隙間が空いていた。このため、隙間部分には薬剤が接触せず、十分なカビ取り効果を発揮できなかった。また、含浸部材が目地よりも幅が小さい場合は、含浸部材と目地との隙間に薬剤が接触せず、十分なカビ取り効果を発揮できなかった。
【０００８】
本発明は、このような事情に鑑みてなされたもので、含浸部材が目地にフィットすることにより、隙間ができにくく薬剤の効果を十分に発揮させることのできるカビ取りテープを提供しようとするものである。
【課題を解決するための手段】
【０００９】
上記本発明の課題は、下記の発明により解決することができる。即ち、本発明のカビ取りテープは、タイルとタイルとの間の目地のカビ取りをするためのカビ取りテープであって、片面に粘着層を有する長尺状のシートと、前記シートの粘着層側に、カビ取り用の液状薬剤を保持するための含浸部材と、を備え、前記含浸部材は、前記シートの長手方向に沿って配置された長尺状部材であり、当該含浸部材の長手方向に垂直な断面形状が山型であることを主要な特徴にしている。
これにより、断面形状が山型なので、目地の幅に関係無く、目地にフィットし、目地に確実に薬剤を供給することができると共に、カビ取り剤の早期の揮発と流れ落ちを防止し、長い時間カビに浸透させることができる。
【００１０】
また、本発明のカビ取りテープは、前記含浸部材が、不織布またはスポンジであることを主要な特徴とすることもできる。
これにより、不織布、スポンジは、柔らかいので目地に良くフィットし、液体である薬剤の吸収性も良いので、薬剤を目地に必要な量を確実に供給することができる。
【００１１】
また、本発明のカビ取りテープは、前記含浸部材の少なくとも一部に、カビ取り用の液状薬剤を透過させない液不透過部材が配置されていることを主要な特徴とすることもできる。
これにより、カビ取りテープを地面に垂直に貼付したとき、重力によって含浸部材中の薬剤が下方に移動することを更に防ぎ、目地に薬剤を長時間十分に供給することができる。
【００１２】
また、本発明のカビ取りテープは、前記シートは、１以上の貫通穴を有し、前記貫通穴は、前記シートの前記含浸部材が配置されている部分に位置していることを主要な特徴とすることもできる。
これにより、貫通穴から含浸部材に容易に薬剤を供給することができるとともに、目地部に必要な量のカビ取り剤で済ませられることから、無駄を防止して経済的である。
【００１３】
また、本発明のカビ取りテープは、前記貫通穴の直径が0.1mm〜1.2mmであり、前記貫通穴の面積の合計値は、前記含浸部材と前記シートとの接触部の面積の20%〜80%であることを主要な特徴とすることもできる。
これにより、薬剤を貫通穴にスプレーしたとき、容易に薬剤を含浸部材に供給できるとともに、貫通穴の存在によるカビ取りテープの耐久性、耐損傷性の低下を押さえることができる。
【００１４】
また、本発明のカビ取りテープは、前記シートにおいて、該シートの長手方向に垂直なミシン目を少なくとも一以上有していることを主要な特徴とすることもできる。
これにより、ハサミ等の裁断器具を用いることなく必要な長さに容易に切り離して使用できる。
【００１５】
また、本発明のカビ取りテープは、前記シートの所定の領域に配置される前記含浸部材が、該含浸部材の長手方向に対して垂直方向へも交差する十字形状のタイル目地角部用含浸部材を少なくとも一以上備えることを主要な特徴とすることもできる。
これにより、大型タイルの交差部などでもカビ取り洗浄効果を発揮させることができる。
【００１６】
また、前記シートにおいて、該シートの長手方向に垂直な断面が９０度の略くの字状に折り曲げられた形状であり、前記含浸部材が該シートの折り曲げ部外側に突出するように備えられていることを主要な特徴とすることもできる。
これにより、浴室の壁面角部にもフィットさせることができる。
【発明の効果】
【００１７】
本発明に係るカビ取りテープによれば、タイルの目地にフィットすることにより、隙間ができにくく、薬剤の効果を十分に発揮させることができるという優れた効果を発揮する。
【００１８】
また、本発明に係るカビ取りテープによれば、タイルの目地に塗布したカビ取り剤をシートで被覆するため、カビ取り剤と空気を遮断して揮発し難くすると共に、揮発した分の該カビ取り剤を吸い込むこともなく、また、臭いも防げるため作業者の健康や安全性に資するといった優れた効果を奏する。
【図面の簡単な説明】
【００１９】
【図１】本発明に係るカビ取りテープの斜視図である。
【図２】カビ取りテープを目地に貼付するときの時系列の断面図である。
【図３】含浸部に薬剤を供給している状態を示す説明図である。
【図４】タイル目地角部用含浸部材を含む構成とする場合の説明図である。
【図５】シート断面を略くの字状に構成する場合の説明図である。
【発明を実施するための形態】
【００２０】
以下、添付図面に従って本発明の好ましい実施の形態について説明する。本発明は以下の好ましい実施の形態により説明されるが、本発明の範囲を逸脱すること無く、多くの手法により変更を行うことができ、本実施の形態以外の他の実施の形態を利用することができる。従って、本発明の範囲内における全ての変更が特許請求の範囲に含まれる。また、本明細書において「〜」を用いて表される数値範囲は、「〜」の前後に記載される数値を含む範囲を意味する。
【００２１】
＜構成＞
本発明のカビ取りテープの一実施形態について図面を参照して説明する。図１は、本発明に係るカビ取りテープの斜視図である。
【００２２】
図１は、本発明に係るカビ取りテープ１０の斜視図であり、図１（ａ）は、請求項1または２に係る基本的構成を示す斜視図であり、図１（ｂ）は請求項3から６の特徴的構成を含む説明図である。図１に示すように、カビ取りテープ１０は、長尺状のシート１２と、薬剤を含浸して保持することができる含浸部材１４と、シート１２の片面に形成された粘着層１６と、を主に備えて構成される。カビ取りテープ１０は、粘着層１６表面に貼付され、粘着層１６が、目的外のものに接着しないように保護するための保護シート１７を更に備えていても良い。
【００２３】
シート１２は、カビ取り用の液状薬剤３８を透過させない可撓性の材料で構成することができ、例えば、ポリエチレン、ポリプロピレン、ナイロン、アイオノマー樹脂、ポリ塩化ビニリデン、シリコンゴム等の材料で構成することができる。しかしながら、これらの材料に限定されるものではなく、フィルム、テープ等に通常用いられる材料を採用することができる。
【００２４】
含浸部材１４は、シート１２の長手方向に沿って配置された、長尺状の部材であり、その長手方向に垂直な断面は、山型形状をなしている。後述するように、この山型形状により、タイル２２とタイル２２との間の目地２４にぴったりとフィットし、薬剤を目地２４に隙間無く供給、保持することができる。
【００２５】
また、含浸部材１４は、不織布、スポンジ、布、綿等の液体である薬剤を含浸可能な材料ならば何でも使用できるが、本発明の鋭意研究により、薬剤の含浸しやすさ、耐久性等から不織布またはスポンジが好ましく、不織布が更に好ましいことを発見した。
【００２６】
カビ取りテープ１０には、含浸部材１４の少なくとも一部に液不透過部材１８が配置されていることが好ましい。液不透過部材１８は、シリコンゴム、天然ゴム、ポリエチレン、ポリプロピレン、塩化ビニル等の液体である薬剤を透過させない材料で形成することができる。しかしながら、これらの列挙した材料に限定されるものではなく、カビ取り用の液状薬剤３８を透過させない材料で可撓性、柔軟性を有する材料ならば用いることができる。
【００２７】
ここで、カビ取りテープ１０を地面に垂直な方向に貼付して用いたとき、含浸部材１４に含浸された薬剤が、重力により徐々に含浸部材１４中を下方に移動して、含浸部材１４中の薬剤量が少なくなってしまう部分が生じうる。
【００２８】
しかしながら、液不透過部材１８が含浸部材１４の一部に配置されることにより、液状薬剤３８の移動はこの液不透過部材１８の部分で止まるので、含浸部材１４中に薬剤量が少なくなってしまう部分が発生することを防ぐことができる。
【００２９】
また、シート１２の含浸部材１４が貼付されている部分には、貫通穴２０が設けられていることが好ましい。これにより、タイル２２の目地２４の部分にカビ取りテープ１０を貼付後にこの貫通穴２０から薬剤を含浸部材１４に供給することができる。
【００３０】
本発明者は、鋭意研究により、この貫通穴２０の直径が0.1mm〜1.2mmで、貫通穴２０の面積の合計が、含浸部材１４とシート１２との接触部の面積の20%〜80%のとき、貼付済みのカビ取りテープ１０の表面にカビ取りの薬剤をスプレーするだけで、この貫通穴２０から良好に液状薬剤３８が含浸部材１４に含浸されることを発見した。貫通穴２０の面積の合計が、含浸部材１４とシート１２との接触部の面積の80%よりも大きいとき、シート１２の強度が弱くなり、破れやすくなる。
【００３１】
＜作動＞
次に、本発明のカビ取りテープの作動について図面を参照して説明する。図２は、カビ取りテープを目地に貼付するときの時系列の断面図である。図２の（ａ）は、カビ取りテープ１０を目地に貼付する前の段階を示している。壁２６に貼付されている２つのタイル２２，２２の間には、目地２４が位置している。カビ取りテープ１０は、含浸部材１４が目地に対向するように位置合わせされる。
【００３２】
次に、図２の（ｂ）に示すように、カビ取りテープ１０をタイル２２，２２及び目地２４に向かって押しつける。これにより、断面山型形状の含浸部材１４が、タイル２２，２２の間に入り込む。
【００３３】
更に、カビ取りテープ１０を更に押しつけ、図２（ｃ）に示すようにシート１２をタイル２２，２２に貼付する。このとき、含浸部材１４の底面部の幅よりも、２つのタイル２２，２２の隙間、即ち目地２４の幅が小さくても、含浸部材１４は断面が山型形状をしており、先端部の幅は狭いので確実に２つのタイル２２，２２の隙間に挿入することができる。
【００３４】
これにより、山型形状の含浸部材１４は、２つのタイル２２，２２の隙間に挿入され、含浸部材１４の柔軟性、可撓性により目地２４の形状に沿って変形し、目地２４にフィットする。
【００３５】
次に、図３を参照して説明する。図３は、含浸部に液状薬剤３８を供給している状態を示す説明図である。図３の（ａ）に示すように、タイル２２、目地２４に貼付したシート１２の貫通穴２０に、液状薬剤３８の入ったスプレー缶３０のノズル先端に取り付けられたチューブ３２を差し込み、液状薬剤３８を含浸部材１４に注入する。
【００３６】
これにより、含浸部材１４に液状薬剤３８が含浸され、目地２４に液状薬剤３８を長時間接触させることができるので、目地２４に付着したカビを確実に除去できる。また、含浸部材１４の一部には、液不透過部材１８が配置されている。このため、液状薬剤３８が含浸部材１４内で重力により下方に移動しても、液不透過部材１８で移動がストップされるので、含浸部材１４内全体に渡って液状薬剤３８が十分含まれた状態を長時間維持することができる。
【００３７】
次に、図３の（ｂ）を参照すると、（ｂ）の実施形態においては、（ａ）よりも小さな貫通穴２０がたくさん形成されている。これにより、（ａ）のようにチューブ３２を用いて貫通穴２０に液状薬剤３８を注入しなくても、貫通穴２０全体に液状薬剤３８をスプレーするだけで簡単に液状薬剤３８を含浸部材１４に供給することができる。
【００３８】
（ｂ）の実施形態は、液不透過部材１８を取り付けたときに特に効果を発揮する。その理由は、液不透過部材１８を取り付けたときは、（ａ）の実施形態では、液不透過部材１８で遮られた区画の貫通穴２０ごとに一つ一つチューブを差し込んで液状薬剤３８を供給する必要がある。それに対して、（ｂ）の実施形態では、貫通穴２０全体にスプレーするだけで液状薬剤３８を含浸部材１４に供給することができるからである。
【００３９】
図４は、タイル目地角部用含浸部材を含む構成とする場合の説明図である。図４（ａ）は、シート１２の所定の領域におけるタイル目地角部用含浸部材３６の配置形体例を示し、図４（ｂ）は、タイル目地角部用含浸部材３６の配置状態をシート１２の長手方向からその端辺を見た状態を示し、図４（ｃ）は、シート１２の所定の領域におけるタイル目地角部用含浸部材３６の配置形体例を斜視図によって示し、図４（ｄ）は、大型タイルに使用した場合の使用例をそれぞれ示している。
タイル目地角部用含浸部材３６は、前記シート１２の所定の領域において、配置される前記含浸部材１４の長手方向に交差して垂直に配置される前記含浸部材１４と同じ素材で配置され、ミシン目３４によって切り取り、タイルの目地が交差している部分に使用する。例えば、図４（ｄ）に示すような大型タイル等では有効である。なお、図４（ｄ）では横方向の目地２４に使用していないが、縦方向のみに限定するものではない。
【００４０】
図５は、シート１２の断面を略くの字状に構成する場合の実施形態説明図である。図５（ａ）は、該実施形態の構成を平面図で示し、図５（ｂ）は、該実施形態の構成を斜視図で示している。係る構成を採用する場合は、前記シート１２を、該シート１２の長手方向に垂直な断面が９０度の略くの字状に折り曲げられた形状とし、前記含浸部材１４が該シート１２の折り曲げ部外側に前記と同様な山型形状に突出するように備える。使用例としては図５（ａ）の左上部に示すように浴室等の壁２６の結合角部などに使用する。
【符号の説明】
【００４１】
１０    カビ取りテープ
１２    シート
１４    含浸部材
１６    粘着層
１７    保護シート
１８    液不透過部材
２０    貫通穴
２２    タイル
２４    目地
２６    壁
３０    スプレー缶
３２    チューブ
３４    ミシン目
３６    タイル目地角部用含浸部材
３８    液状薬剤
【図１】
2014113280.tif 000003
【図２】
2014113280.tif 000004
【図３】
2014113280.tif 000005
【図４】
2014113280.tif 000006
【図５】
2014113280.tif 000007
【手続補正書】
【提出日】平成26年4月7日(2014.4.7)
【手続補正１】
【補正対象書類名】特許請求の範囲
【補正対象項目名】全文
【補正方法】変更
【補正の内容】
【特許請求の範囲】
【請求項１】
タイルとタイルとの間の目地のカビ取りをするためのカビ取りテープであって、
片面に粘着層を有する長尺状のシートと、
前記シートの粘着層側に、カビ取り用の液状薬剤を保持するための含浸部材と、を備え、
前記含浸部材は、前記シートの長手方向に沿って配置された長尺状部材であり、当該含浸部材の長手方向に垂直な断面形状がタイル目地に挟着しやすい山型であって、
前記山型は、タイルとタイルとの間の目地幅との関係において、該目地幅よりも先端は狭く底面部は広い形状の山型であり、
連通する前記含浸部材の少なくとも一部に、カビ取り用の液状薬剤を透過させない液不透過部材が配置されていることを特徴とするカビ取りテープ。
【請求項２】
前記含浸部材が、不織布またはスポンジである請求項１に記載のカビ取りテープ。
【請求項３】
前記カビ取りテープをタイルへ貼着後に、前記含浸部材へカビ取り用の液状薬剤を外部から注入するための貫通穴を前記シートに1以上有し、
前記貫通穴は、前記シートの前記含浸部材が配置されている部分に位置していることを特徴とする請求項１又は請求項２に記載のカビ取りテープ。
【請求項４】
前記貫通穴は、直径が0.1mm〜1.2mmであり、
前記貫通穴の面積の合計値は、前記含浸部材と前記シートとの接触部の面積の20%〜80%であることを特徴とする請求項3に記載のカビ取りテープ。
【請求項５】
前記シートは、該シートの長手方向に垂直なミシン目を少なくとも一以上有していることを特徴とする請求項１から4のいずれかに記載のカビ取りテープ。
【請求項６】
前記シートの所定の領域において、配置される前記含浸部材の長手方向に交差して垂直に配置されるタイル目地角部用含浸部材を少なくとも一以上備えることを特徴とする請求項5に記載のカビ取りテープ。
【請求項７】
前記シートにおいて、該シートの長手方向に垂直な断面が９０度の略くの字状に折り曲げられた形状であり、前記含浸部材が該シートの折り曲げ部外側山型形状に突出するように備えられていることを特徴とする請求項１から5のいずれかに記載のカビ取りテープ。